(57)【要約】【課題】従来の電気機器では、発熱部材が筐体内に配置されているため、筐体内の温度が上昇してしまい、発熱部材の劣化を早めてしまう。また、筐体内の温度が上昇するため、電気機器を構成する他の電子部品なども温度が上昇してしまい、これらの電子部品の安全性や耐久性が損なわれてしまう。【解決手段】筐体と発熱部材を有する電気機器であって、筐体を構成する１つの面は、発熱部材を挿通するための第１の貫通孔を有し、発熱部材は、筐体を構成する１つの面から少なくとも一部が筐体の外部へ突出するように、筐体を構成する１つの面に取り付けられる。これにより、発熱部材の冷却が向上し、発熱部材の温度上昇を抑制することができる。【選択図】図１
2014187234.tif 000002
【特許請求の範囲】
【請求項１】
筐体と発熱部材を有する電気機器であって、
前記筐体を構成する１つの面は、前記発熱部材を挿通するための第１の貫通孔を有し、
前記発熱部材は、前記筐体を構成する１つの面かＰ６４７９３４
ら少なくとも一部が前記筐体の外部へ突出するように、前記筐体を構成する１つの面に取り付けられた電気機器。
【請求項２】
発熱部材は、弾性を有するパッキンを介して第１の貫通孔に挿通され、前記パッキンは前記発熱部材の外形よりも小さい第２の貫通孔を有する請求項１記載の電気機器。
【請求項３】
筐体の発熱部材が取り付けられた面の外側に、前記発熱部材を覆うカバー部材を備えた請求項１または２記載の電気機器。
【請求項４】
カバー部材は、筐体に取り付けられたときに鉛直下面のみが開放された状態となる形状であり、前記カバー部材の側面の上端部に冷却用のファンを備えた請求項１から３のいずれか１項に記載の電気機器。
【請求項５】
筐体に、発熱部材の突出長を調整する調整機構を備えた請求項１から４のいずれか１項に記載の電気機器。
【請求項６】
筐体に、発熱部材の突出長を視認可能とする印を備えた請求項１から５のいずれか１項に記載の電気機器。
【請求項７】
発熱部材は、電気機器を構成する部材の中で最も発熱量が多い部材である請求項１から６のいずれか１項に記載の電気機器。
【請求項８】
発熱部材は、電解コンデンサである請求項１から７のいずれか１項に記載の電気機器。
【発明の詳細な説明】
【技術分野】
【０００１】
本発明は、筐体と発熱部材を有する電気機器に関する。
【背景技術】
【０００２】
従来、電気機器の筐体の内部には、多数の半導体デバイス等の部材が実装されている。これらの部材は発熱を伴うため、筐体内の空気を効率的に循環させることで電気機器を冷却する必要がある。そのため、電気機器の部材から発生する熱を、冷却用のファンを用いて筐体外へ放熱することが行われている（例えば、特許文献１参照）。
【先行技術文献】
【特許文献】
【０００３】
【特許文献１】特開平８−２１４５４９号公報
【発明の概要】
【発明が解決しようとする課題】
【０００４】
しかしながら、従来の電気機器では、発熱部材が筐体内に配置されているため、筐体内の温度が上昇してしまい、発熱部材の劣化を早めてしまう。また、筐体内の温度が上昇するため、電気機器を構成する他の電子部品等も温度が上昇してしまい、これら電子部品等の安全性や耐久性などが損なわれてしまう。
【０００５】
本発明は、上記課題を解決するため、筐体の防塵機能を保ったまま発熱部材を筐体の外部に突出させることで、発熱部材の温度上昇を抑制することを目的とする。
【課題を解決するための手段】
【０００６】
上記課題を解決するために、本発明の電気機器は、筐体と発熱部材を有する電気機器であって、前記筐体を構成する１つの面は、前記発熱部材を挿通するための第１の貫通孔を有し、前記発熱部材は、前記筐体を構成する１つの面から少なくとも一部が前記筐体の外部へ突出するように、前記筐体を構成する１つの面に取り付けられたものである。
【０００７】
また、本発明の電気機器は、上記に加えて、発熱部材は、弾性を有するパッキンを介して第１の貫通孔に挿通され、前記パッキンは前記発熱部材の外形よりも小さい第２の貫通孔を有するものである。
【０００８】
また、本発明の電気機器は、上記に加えて、筐体の発熱部材が取り付けられた面の外側に、前記発熱部材を覆うカバー部材を備えたものである。
【０００９】
また、本発明の電気機器は、上記に加えて、カバー部材は、筐体に取り付けられたときに鉛直下面のみが開放された状態となる形状であり、前記カバー部材の側面の上端部に冷却用のファンを備えたものである。
【００１０】
また、本発明の電気機器は、上記に加えて、筐体に、発熱部材の突出長を調整する調整機構を備えたものである。
【００１１】
また、本発明の電気機器は、上記に加えて、筐体に、発熱部材の突出長を視認可能とする印を備えたものである。
【００１２】
また、本発明の電気機器は、上記に加えて、発熱部材を、電気機器を構成する部材の中で最も発熱量が多い部材としたものである。
【００１３】
また、本発明の電気機器は、上記に加えて、発熱部材を、電解コンデンサとしたものである。
【発明の効果】
【００１４】
以上のように、本発明によれば、発熱部材の温度上昇を抑制でき、発熱部材の劣化防止を図ることができる。また、発熱部材の温度上昇を抑制することで、筐体内の発熱部材以外の部品等の温度上昇も抑制し、電気機器の耐久性を高めることができる。
【図面の簡単な説明】
【００１５】
【図１】本発明の実施の形態１における電気機器の外観を示す図
【図２】本発明の実施の形態１における筐体に取り付けられた発熱部材の近傍の状態を示す図
【図３】本発明の実施の形態１における電気機器の要部断面図
【図４】本発明の実施の形態１における筐体への発熱部材の取り付けを説明するための図
【図５】本発明の実施の形態１における筐体にカバーを取り付ける途中の状態を示す図
【図６】本発明の実施の形態１における筐体にカバーを取り付けた状態の要部断面図
【図７】本発明の実施の形態１における筐体に取り付けられた発熱部材の近傍の状態を示す図
【発明を実施するための形態】
【００１６】
以下に、本発明の実施の形態について、図１から図７を用いて説明する。
【００１７】
（実施の形態１）
図１は、本実施の形態１の電気機器の外観を示す図である。図２は、発熱部材近傍の詳細を示す図である。
【００１８】
図１において、発熱部材１０２は、筐体１０１を構成する１つの側面から一部が突出した状態となるように、筐体１０１に取り付けられている。
【００１９】
図２は、筐体１０１に取り付けられた発熱部材１０２の近傍の状態を示す図である。発熱部材１０２は、筐体１０１の内部で、バンド１０３と取付板１０４とにより、筐体１０１に固定されている。なお、発熱部材１０２は、バンド１０３のみで筐体１０１に固定するようにしても良い。
【００２０】
図１や図２に示すように、発熱部材１０２の一部が筐体１０１から外部に突出した状態となるように発熱部材１０２を筐体１０１に取り付けることで、発熱部材１０２の一部を外気にさらすことができる。このようにすることで、発熱部材１０２の温度上昇を抑制することができ、また、発熱部材１０２の劣化の防止を図ることができる。そして、発熱部材１０２の温度上昇を抑制することで、発熱部材１０２以外の電気機器を構成する部品等の温度上昇も抑制することができる。
【００２１】
なお、電気機器は、例えば、マニピュレータと、このマニピュレータの動作を制御する制御装置とを有する産業用ロボットにおける制御装置であり、防塵構造となっている。また、発熱部材は、例えば、制御装置を構成する電解コンデンサである。そして、この電解コンデンサは、制御装置を構成する部材の中で最も発熱量が多い部材である。
【００２２】
ここで、図３は、発熱部材１０２を筐体１０１に取り付けた状態の要部断面図である。図４は、筐体１０１への発熱部材１０２の取り付けを説明するための図である。
【００２３】
発熱部材１０２は、取付板１０４と弾性を有するパッキン１０５を介して筐体１０１の第１の貫通孔１１２に挿通される。そして、発熱部材１０２の一部は、筐体１０１から突出した状態となる。なお、パッキン１０５は、発熱部材１０２の外形よりも小さい第２の貫通孔１１３を有している。発熱部材１０２は、先ず取付板１０４の第３の貫通孔１１４に挿通され、次にパッキン１０５の第２の貫通孔１１３に挿通され、その後、筐体１０１の第１の貫通孔１１２に挿通される。
【００２４】
発熱部材１０２は、筐体１０１に取付けられる際に、パッキン１０５を巻き込みながら筐体１０１の第１の貫通孔１１２に挿通される。従って、筐体１０１の第１の貫通孔１１２の部分の防塵性を保つことができる。すなわち、筐体１０１内の防塵性を保った状態で、筐体１０１から発熱部材１０２の一部を突出させることができる。そして、発熱部材１０２の一部を外気にさらすことで、発熱部材１０２の温度上昇を抑制することができる。
【００２５】
なお、図５や図６に示すように、筐体１０１の発熱部材１０２が取り付けられた面の外側に、筐体１０１から突出した状態の発熱部材１０２を覆うカバー１０６を設けるようにしても良い。図５は、筐体１０１にカバー１０６を取り付ける途中の状態を示す図である。図６は、筐体１０１にカバー１０６を取り付けた状態の要部断面図である。
【００２６】
図６において、カバー１０６は、筐体１０１に取り付けられた状態で、鉛直下面のみ開放された状態となる形状である。なお、鉛直下面のみ開放された部分を、カバー開口部１０８として示している。また、カバー１０６の側面の上端部には、冷却用のファン１０７を設けている。なお、ファン１０７は、発熱部材１０２と対向する位置に設けることが望ましい。このような構成とすることで、ファン１０７により発熱部材１０２を冷却することができる。また、ファン１０７による冷却風は、筐体１０１の発熱部材１０２を取り付けた面の表面を通ってカバー開口部１０８から放出される。従って、ファン１０７により筐体１０１の表面を冷却することができ、すなわち、筐体１０１の内部を冷却することもできる。
【００２７】
このように、ファン１０７を設けることで、発熱部材１０２および筐体１０１を冷却することができ、発熱部材１０２や筐体１０１内部の部品等の温度上昇を抑制することができ、発熱部材１０２や筐体１０１内部の部品等の耐久性を高めることができる。
【００２８】
また、筐体１０１の発熱部材１０２が取り付けられた面の外側に、筐体１０１から突出した状態の発熱部材１０２を覆うカバー１０６を設けることで、筐体１０１の外部に突出した発熱部材１０２を保護することもできる。
【００２９】
なお、図７に示すように、筐体１０１に、発熱部材１０２の突出長を調整する調整機構を設けるようにしても良い。また、筐体１０１に、発熱部材１０２の突出長を視認可能とする印を設けるようにしても良い。図７は、筐体１０１に取り付けられた発熱部材１０２の近傍の状態を示す図である。
【００３０】
図７において、電気機器は、発熱部材１０２の突出長を調整する調整機構として、調整機１１１とダイヤル１１０を備えている。ダイヤル１１０を一方に回すことにより、調整機１１１によって発熱部材１０２の突出長が増える。そして、ダイヤル１１０を他方に回すことにより、調整機１１１によって発熱部材１０２の突出長が減る。
【００３１】
また、調整機１１１に目盛を設け、発熱部材１０２の突出長を視認可能とするようにしても良い。
【００３２】
このように、発熱部材１０２の突出長を調整可能とすることで、発熱部材１０２の温度上昇を適切に抑制することができる。
【産業上の利用可能性】
【００３３】
本発明によれば、電気機器を構成する発熱部材の温度上昇を抑制することができ、発熱部材を構成要素として有する電気機器として産業上有用である。
【符号の説明】
【００３４】
１０１  筐体
１０２  発熱部材
１０３  バンド
１０４  取付板
１０５  パッキン
１０６  カバー
１０７  ファン
１０８  カバー開口部
１１０  ダイヤル
１１１  調整機
１１２  第１の貫通孔
１１３  第２の貫通孔
１１４  第３の貫通孔
【図１】
2014187234.tif 000003
【図２】
2014187234.tif 000004
【図３】
2014187234.tif 000005
【図４】
2014187234.tif 000006
【図５】
2014187234.tif 000007
【図６】
2014187234.tif 000008
【図７】
2014187234.tif 000009
【手続補正書】
【提出日】平成25年7月5日(2013.7.5)
【手続補正１】
【補正対象書類名】特許請求の範囲
【補正対象項目名】全文
【補正方法】変更
【補正の内容】
【特許請求の範囲】
【請求項１】
筐体と発熱部材を有する電気機器であって、
前記筐体を構成する１つの面は、前記発熱部材を挿通するための第１の貫通孔を有し、
前記発熱部材は、前記筐体を構成する１つの面から少なくとも一部が前記筐体の外部へ突出するように、前記筐体を構成する１つの面に取り付けられた電気機器。
【請求項２】
発熱部材は、弾性を有するパッキンを介して第１の貫通孔に挿通され、前記パッキンは前記発熱部材の外形よりも小さい第２の貫通孔を有する請求項１記載の電気機器。
【請求項３】
筐体の発熱部材が取り付けられた面の外側に、前記発熱部材を覆うカバー部材を備えた請求項１または２記載の電気機器。
【請求項４】
カバー部材は、筐体に取り付けられたときに鉛直下面のみが開放された状態となる形状であり、前記カバー部材の側面の上端部に冷却用のファンを備えた請求項１から３のいずれか１項に記載の電気機器。
【請求項５】
筐体に、発熱部材の突出長を調整する調整機構を備えた請求項１から４のいずれか１項に記載の電気機器。
【請求項６】
筐体に、発熱部材の突出長を視認可能とする印を備えた請求項１から５のいずれか１項に記載の電気機器。
【請求項７】
発熱部材は、電気機器を構成する部材の中で最も発熱量が多い部材である請求項１から６のいずれか１項に記載の電気機器。
【請求項８】
発熱部材は、電解コンデンサである請求項１から７のいずれか１項に記載の電気機器。